(57)【特許請求の範囲】
【請求項１】
計量器本体に凹状の端子収容部が複数形成され、前記各端子収容部内に板状の端子が上面側から端子ネジによってネジ止めされている電力計量器における、前記端子をカバーする電力計量器用端子カバーであって、
前記端子収容部に挿入され、前記端子ネジの頭部が露出した状態で前記端子の上面側をすべて覆うカバー本体と、
前記カバー本体を前記端子収容部に固定する固定手段と、
を備え、
前記固定手段は、前記カバー本体に形成され前記端子ネジのネジ部が挿入可能な操作孔の小径部と、前記端子ネジの前記頭部が挿入可能で前記小径部よりも径が大となる前記操作孔の大径部と、による径方向の段差によって形成される被挟持部から構成され、前記被挟持部が前記端子と前記端子ネジの前記頭部で挟持されることで前記カバー本体が前記端子収容部に固定される、
ことを特徴とする電力計量器用端子カバー。
【発明の詳細な説明】
【技術分野】
【０００１】
この発明は、電力計量器に配設されている端子をカバーする電力計量器用端子カバーに関する。
【背景技術】
【０００２】
電力計量器は、各需要家で使用される電力量を計量するものであり、外部電線や室内電線を接続するための端子台が設けられている。例えば、計量器本体の表面に凹状の端子収容部が複数形成され、各端子収容部内に板状の端子が上面側からネジ止めされ、端子によって外部電線や室内電線を挟持・接続するようになっている。
【０００３】
このような電力計量器は、正確な計量を維持するために、定期的に交換したり修理を行ったりする必要があり、その際には、端子台に接続されている外部電線や室内電線を外したり、接続したりする作業を伴う。しかしながら、このような作業において、例えばドライバの先端が隣接する端子のネジに接触して短絡・ショートしたり、ネジを落下させたりするおそれがある。
【０００４】
このため作業時に、複数の電線締め付け部（端子）をカバーする極間絶縁治具（例えば、特許文献１参照。）や、ネジが落下しないようにする端子台装置（例えば、特許文献２参照。）が知られている。すなわち、極間絶縁治具は、複数の電線締め付け部をカバーする主板に、各電線締め付け部に対応した窓孔が形成されていることで、隣接する電線締め付け部に接触しないようにするものある。また、端子台装置は、ネジの頭部に雄ネジ部を設け、この雄ネジ部が螺合する雌ネジ部を脱落防止カバーに設けることで、ネジを回動操作した際に、ネジの頭部の雄ネジ部が脱落防止カバーの雌ネジ部に螺合して、ネジが落下しないようにするものである。
【先行技術文献】
【特許文献】
【０００５】
【特許文献１】特開２００２−０５５１２１号公報
【特許文献２】特開２００７−０１８７４０号公報
【発明の概要】
【発明が解決しようとする課題】
【０００６】
ところで、上記のような極間絶縁治具や端子台装置は、電力計量器への着脱機構などを備えるため構成が複雑で、しかも作業時のみに電力計量器に取り付けて、作業後は取り外さなければならないため、手間がかかる。また、極間絶縁治具では、ネジのみならず電線締め付け部全体が窓孔から露出するため、露出面積が大きく、電線締め付け部に接触するおそれが残る。さらに、端子台装置では、頭部に雄ネジ部を有する特殊なネジを使用しなければならず、既設の電力計量器のネジをこのような特殊なネジに交換する必要があり、労力と費用とを要する。
【０００７】
そこでこの発明は、簡易な構成で容易に適用可能で、かつより確実にショートを防止することが可能な電力計量器用端子カバーを提供することを目的とする。
【課題を解決するための手段】
【０００８】
上記課題を解決するために、請求項１の発明は、計量器本体に凹状の端子収容部が複数形成され、前記各端子収容部内に板状の端子が上面側から端子ネジによってネジ止めされている電力計量器における、前記端子をカバーする電力計量器用端子カバーであって、前記端子収容部に挿入され、前記端子ネジの頭部が露出した状態で前記端子の上面側をすべて覆うカバー本体と、前記カバー本体を前記端子収容部に固定する固定手段と、を備え、前記固定手段は、前記カバー本体に形成され前記端子ネジのネジ部が挿入可能な操作孔の小径部と、前記端子ネジの前記頭部が挿入可能で前記小径部よりも径が大となる前記操作孔の大径部と、による径方向の段差によって形成される被挟持部から構成され、前記被挟持部が前記端子と前記端子ネジの前記頭部で挟持されることで前記カバー本体が前記端子収容部に固定される、ことを特徴とする。
【発明の効果】
【００１４】
請求項１の発明によれば、カバー本体の被挟持部が端子と端子ネジの頭部とで挟持された状態で、カバー本体が端子収容部に固定されるため、より確実・強固にカバー本体を固定することができる。しかも、カバー本体に被挟持部を設けるだけでよいため、構成が簡易となる。
【図面の簡単な説明】
【００１５】
【図１】この発明の実施の形態１に係る電力計量器用端子カバーが取り付けられている電力計量器の端子台を示す正面図である。
【図２】図１の電力計量器用端子カバーが取り付けられていない状態の端子台を示す正面図（ａ）と、そのＳ１−Ｓ１断面図（ｂ）である。
【図３】図１の電力計量器用端子カバーの正面図（ａ）と、側面断面図（ｂ）と、取付状態を示す断面図（図１のＳ２−Ｓ２断面図）である。
【図４】この発明の実施の形態２に係る電力計量器用端子カバーが取り付けられている電力計量器の端子台を示す正面図である。
【図５】図４の電力計量器用端子カバーが取り付けられていない状態の端子台を示す正面図（ａ）と、そのＳ３−Ｓ３断面図（ｂ）である。
【図６】図４の電力計量器用端子カバーの正面図（ａ）と、側面断面図（ｂ）と、取付状態を示す断面図（図４のＳ４−Ｓ４断面図）である。
【発明を実施するための形態】
【００１６】
以下、この発明を図示の実施の形態に基づいて説明する。
【００１７】
（実施の形態１）
図１は、この実施の形態に係る電力計量器用端子カバー１が取り付けられている電力計量器１００の端子台１２０を示す図である。ここで、この電力計量器１００は、単相３線式（三相３線式）で３０Ａ、６０Ａ用の計量器で、従来の既存・既製の電力計量器と同等の構成であるため詳細な説明は省略するが、複数の端子１２１を備える端子台１２０は、概略以下のような構成となっている。
【００１８】
すなわち、図２に示すように、計量器本体１０１の下部表面に、凹状に窪んだ端子収容部１１０が複数横並びに形成されている。この端子収容部１１０は、平面形状が縦長の小判型で、底部に端子ネジ（ネジ）１１１が螺合する雌ネジ（図示せず）が形成されている。また、これらの端子収容部１１０は、電線の各位相に対応して設けられ、異なる位相の端子収容部１１０と端子収容部１１０との間には、側壁１１２が設けられている。
【００１９】
このような各端子収容部１１０内に、板状の端子１２１が上面側からネジ止めされている。すなわち、端子１２１は平板状で、端子収容部１１０内に配設された状態で、上面が縦長の小判型に端子収容部１１０から露出するようになっており、この上面から端子ネジ１１１によって取り付けられている。一方、計量器本体１０１の下部底面１０１ａから、各端子１２１に対応して電線挿入穴（図示せず）が形成されている。そして、この電線挿入穴に電線を挿入して端子ネジ１１１を締め付けることで、電線が端子１２１に挟持された状態で接続され、端子ネジ１１１を緩めることで、電線を取り外せるようになっている。
【００２０】
ここで、端子ネジ１１１は、図３に示すように、ネジ部１１１ａよりも大径の頭部１１１ｂを備えたネジとなっている。また、このような端子台１２０全体を開閉自在に覆う端子台カバー（図示せず）が設けられている。
【００２１】
電力計量器用端子カバー１は、このような端子１２１を個々にカバーするものであり、耐候性、絶縁性および耐熱耐寒性に優れた素材（例えば合成樹脂）で構成されている。この電力計量器用端子カバー１は、図３に示すように、カバー本体２と、このカバー本体２に設けられた被挟持部（固定手段）３とから構成されている。
【００２２】
カバー本体２は、端子収容部１１０に挿入・装着され、端子ネジ１１１の取り付け、取り外しが可能なように端子ネジ１１１を除いて、端子１２１の露出した上面をすべて覆うように形成されている。すなわち、図３（ａ）に示すように、平面形状が端子収容部１１０と同じ縦長の小判型で、この平面形状のまま垂直に延びるブロック状となっている。そして、端子収容部１１０に挿入された際に、図３（ｃ）に示すように、外周面が端子収容部１１０の内周面に接するように、あるいは端子収容部１１０の内周面との隙間ができるだけ小さくなるように、外周形状が形成されている。
【００２３】
また、カバー本体２の上面から底面に貫通し、端子ネジ１１１が出入りする操作孔（ネジを除く部分）２１が、２つ形成されている。この操作孔２１は、上面側から開口して大径の大径部２１ａと、底面側から開口して小径の小径部２１ｂとから構成され、大径部２１ａと小径部２１ｂとが連通している。大径部２１ａの内径は、端子ネジ１１１の頭部１１１ｂが挿入可能（従ってドライバなどの回転工具が挿入可能）な大きさに設定され、小径部２１ｂの内径は、端子ネジ１１１のネジ部１１１ａが挿入可能な大きさに設定され、これにより、端子ネジ１１１が操作孔２１から出入りできるようになっている。つまり、操作孔２１を介してドライバなどで端子ネジ１１１を回転操作できるようになっている。
【００２４】
そして、カバー本体２の底面側（端子１２１側）における大径部２１ａと小径部２１ｂによる段差によって、被挟持部３が形成されている。つまり、大径部２１ａがカバー本体２の底面まで貫通ないことで、被挟持部３が形成されている。また、操作孔２１と操作孔２１とのピッチ・間隔は、１つの端子収容部１１０内における端子ネジ１１１のピッチと同一に設定されている。
【００２５】
このような操作孔２１に端子ネジ１１１を挿入して端子収容部１１０の雌ネジに締め付けることで、図３（ｃ）に示すように、端子１２１と端子ネジ１１１の頭部１１１ｂとで被挟持部３が挟持されて、カバー本体２つまり電力計量器用端子カバー１が端子収容部１１０に固定されるものである。このように、被挟持部３と端子ネジ１１１とによって、カバー本体２が端子収容部１１０に固定されるようになっている。そして、このような固定状態では、カバー本体２の操作孔２１から端子ネジ１１１の頭部１１１ｂのみが望み（覗き見え）、端子収容部１１０から露出していた端子１２１の部分は、すべてカバー本体２で覆われるものである。
【００２６】
また、操作孔２１の深さ、つまりカバー本体２の高さ・厚みは、端子ネジ１１１を緩めた際に端子ネジ１１１が操作孔２１に留まるように設定されている。つまり、端子ネジ１１１を緩めて雌ネジとの螺合を解除した場合であっても、端子ネジ１１１の重心が操作孔２１内に位置して、端子ネジ１１１が操作孔２１から脱落・落下しにくいようになっている。さらに、端子台カバーを閉じられるようにカバー本体２の高さが設定されている。これらの結果、電力計量器用端子カバー１を端子収容部１１０に取り付けた際に、カバー本体２の上面が計量器本体１０１（端子台１２０）の上面と一致するように、カバー本体２の高さが設定されている。
【００２７】
次に、このような構成の電力計量器用端子カバー１の作用などについて説明する。
【００２８】
まず、すべての端子収容部１１０に対して電力計量器用端子カバー１を取り付ける。すなわち、端子ネジ１１１を外した状態で、カバー本体２を被挟持部３側から端子収容部１１０内に挿入し、上記のように、操作孔２１に端子ネジ１１１を挿入して締め付ける。このようにして電力計量器用端子カバー１を取り付けた状態では、図１に示すように、各端子１２１が電力計量器用端子カバー１（カバー本体２）によって完全に覆われ、端子ネジ１１１の頭部１１１ｂのみが操作孔２１から覗き見える状態となる。しかも、隣接する端子１２１（端子ネジ１１１）が電力計量器用端子カバー１で隔離された状態となり、さらに、すべての電力計量器用端子カバー１の上面が、同一面に位置した状態（面一状態）となる。
【００２９】
以上のように、この電力計量器用端子カバー１によれば、端子ネジ１１１の頭部１１１ｂを除いて端子１２１がすべてカバー本体２で覆われるため、充電部・通電部の露出が最小限となり、しかも、隣接する端子ネジ１１１がカバー本体２で隔離された状態となる。このため、ドライバの接触などによるショートをより確実に防止することが可能となる。しかも、端子ネジ１１１は、カバー本体２で覆われておらず操作孔２１を介して回転操作が可能であり、さらに、電力計量器用端子カバー１を取り付けたままで端子台カバーを閉じられるようになっている。このため、本電力計量器用端子カバー１を常時取り付けおくことができ、作業の度に取り付けたり取り外したりする必要がなく、手間がかからない。
【００３０】
また、操作孔２１の深さが、端子ネジ１１１を緩めた際に端子ネジ１１１が操作孔２１に留まるように設定されているため、端子ネジ１１１を緩めても端子ネジ１１１の脱落・落下を抑制・防止することができる。しかも、端子ネジ１１１が留まるように操作孔２１が長くなっているため、ドライバなどで端子ネジ１１１を回転操作する際に、操作孔２１によってドライバなどが支持・案内され、容易かつ安定的に回転操作を行うことができるとともに、ドライバなどの先端が端子ネジ１１１の頭部１１１ｂから外れるのを防止・抑制することができる。
【００３１】
一方、電力計量器用端子カバー１は、カバー本体２と被挟持部３とを一体的に備えるだけであるため、構成が簡易で、容易、安価に製作することができる。すなわち、ブロック状のカバー本体２に操作孔２１を形成するだけで、製作することができる。また、カバー本体２に操作孔２１を形成するだけで、カバー本体２で端子ネジ１１１を覆わないようにしているため（ネジを除く部分を構成しているため）、構成が簡易となる。
【００３２】
さらには、カバー本体２を端子収容部１１０内に挿入して端子ネジ１１１を締め付けるだけで、電力計量器用端子カバー１を取り付けることができるため、取り付けが容易で、特殊なネジ等も不要であり、容易に適用することができる。また、被挟持部３が端子１２１と端子ネジ１１１の頭部１１１ｂとで挟持された状態で、カバー本体２が端子収容部１１０に固定されるため、より確実・強固に電力計量器用端子カバー１を取り付けることができる。しかも、カバー本体２に被挟持部３を設けるだけでよいため、構成が簡易となる。
【００３３】
（実施の形態２）
図４〜６は、この実施の形態を示し、実施の形態１と同等の構成については、同一符号を付することでその説明を省略する。この実施の形態では、電力計量器１００が、単相３線式（三相３線式）で１２０Ａ用の計量器で、主として、端子ネジ（ネジ）１３０と電力計量器用端子カバー２０１の固定手段とが実施の形態１と異なるものである。
【００３４】
すなわち、図５に示すように、端子台１２０は実施の形態１とほぼ同等の構成であるが、端子ネジ１３０は、図６（ｃ）に示すように、ネジ部１３０ａと頭部１３０ｂとの外径が同径となっている。また、電力計量器用端子カバー２０１は、カバー本体２０２と両面テープ（固定手段）２０３とから構成されている。
【００３５】
カバー本体２０２は、実施の形態１のカバー本体２と同等の構成であり、操作孔（ネジを除く部分）２２１が実施の形態１と異なる。すなわち、操作孔２２１は、カバー本体２０２の上面から底面にわたって同径で貫通するストレート孔で、その内径は、端子ネジ１３０を挿入でき（従ってドライバなどの回転工具を挿入でき）、かつ端子ネジ１３０との隙間ができるだけ小さくなるように設定されている。
【００３６】
両面テープ２０３は、その平面形状がカバー本体２０２の平面形状と同形状に形成され、カバー本体２０２の底面に、平面形状同士が重なるように貼り付けられている。そして、カバー本体２０２を両面テープ２０３側から端子収容部１１０内に挿入して押し付けることで、電力計量器用端子カバー２０１を取り付けるものである。この際、端子ネジ１３０を取り外してもよいし、取り外さなくてもよい。
【００３７】
このように、この実施の形態によれば、実施の形態１と同様に、端子ネジ１３０の頭部１３０ｂを除いて端子１２１がすべてカバー本体２０２で覆われ、しかも、隣接する端子ネジ１３０がカバー本体２０２で隔離されるため、ドライバの接触などによるショートをより確実に防止することが可能となる。また、端子ネジ１３０がストレートのネジであっても、電力計量器用端子カバー２０１を各端子収容部１１０に確実に取り付けることができる。しかも、端子ネジ１３０を取り外さなくても取り付けられるため、電力計量器１００の運用を止めることなく取り付けることができる。
【００３８】
以上、この発明の実施の形態について説明したが、具体的な構成は、上記の実施の形態に限られるものではなく、この発明の要旨を逸脱しない範囲の設計の変更等があっても、この発明に含まれる。例えば、実施の形態２では、カバー本体２０２を両面テープ２０３で固定しているが、接着剤（固定手段）で固定してもよい。また、カバー本体２０２の外形状を端子収容部１１０の内形状よりもやや大きく形成し、カバー本体２０２を端子収容部１１０内に圧入（固定手段）することで固定してもよい。一方、端子ネジ１１１、１３０を除く部分が操作孔２１、２２１で構成されているが、端子ネジ１１１、１３０の位置や端子収容部の形状などによっては、カバー本体２、２０２の端部を切り欠く（逃がす）ことで、端子ネジ１１１、１３０を除く部分を構成してもよい。
【符号の説明】
【００３９】
１        電力計量器用端子カバー
２        カバー本体
２１      操作孔（ネジを除く部分）
２１ａ    大径部
２１ｂ    小径部
３        被挟持部（固定手段）
１００    電力計量器
１０１    計量器本体
１１０    端子収容部
１１１    端子ネジ（ネジ）
１１２    側壁
１２０    端子台
１２１    端子
１３０    端子ネジ（ネジ）
２０１    電力計量器用端子カバー
２０２    カバー本体
２２１    操作孔（ネジを除く部分）
２０３    両面テープ（固定手段）
【図１】
0005596184.tif 000002
【図２】
0005596184.tif 000003
【図３】
0005596184.tif 000004
【図４】
0005596184.tif 000005
【図５】
0005596184.tif 000006
【図６】
0005596184.tif 000007